(57)【特許請求の範囲】
【請求項１】
平面視において、外壁面の一部が他の外壁面よりも室内側に後退した建物凹所を有する建物本体の上部に、傾斜方向下端部に、前記建物凹所に対応して形成された屋根凹部を有する勾配屋根が設けられており、
前記建物凹所と屋根凹部とは上下に連通しており、
前記建物凹所は、互いに対向する二つの外壁面と、これら二つの外壁面に挟まれた中央外壁面とからなり、
前記屋根凹部は、互いに対向する二つの略三角形状の屋切側面と、これら二つの屋切側面に挟まれた矩形状の中央側面とからなり、
この屋根凹部の屋切側面は、該屋切側面に設けられる第１補強手段によって補強されており、矩形状の中央側面は、該中央側面に設けられる第２補強手段によって補強されていることを特徴とする建物。
【請求項２】
請求項１に記載の建物において、
前記建物凹所の二つの外壁面と中央外壁面とのうち、少なくとも一つの外壁面に採光窓が設けられていることを特徴とする建物。
【請求項３】
請求項１または２に記載の建物において、
前記建物凹所の二つの外壁面および中央外壁面には、それぞれ外壁材が取り付けられており、
前記屋根凹部の二つの屋切側面および中央側面には、それぞれ、前記第１および第２補強手段を遮蔽する外壁材が取り付けられていることを特徴とする建物。
【請求項４】
請求項１〜３のいずれか一項に記載の建物において、
前記建物本体は、四隅の柱、上梁および下梁から略直方体状に形成された骨組みを有する建物ユニットを複数配置して構成されており、
前記勾配屋根は、前記建物ユニット上に設置される矩形枠状の小屋パネルと、この小屋パネル上に配置される複数の屋根束と、これら複数の屋根束によって所定の角度に傾斜するように支持される屋根パネルとを備え、かつ前記本体上に配置されており、
前記屋根凹部は、この屋根凹部に面する小屋パネルと、屋根凹部の隅部付近に配置される屋根束と、平面視において略門型に形成されることによって開口部を有する屋根パネルとを備えて構成されていることを特徴とする建物。
【請求項５】
請求項４に記載の建物において、
前記第１補強手段は、前記屋根凹部に面する小屋パネルと、前記屋根凹部の中央側面側に配置される屋根束と、これら小屋パネルの軒先側端部と屋根束の上端部との間に架設されるとともに前記略門型の屋根パネルを構成する框材と、でトラス状に形成されるトラス構造部とされており、
前記第２補強手段は、前記屋根凹部の中央側面の両側端に配置される複数の屋根束同士を連結する鉛直ブレースを備えていることを特徴とする建物。
【発明の詳細な説明】
【技術分野】
【０００１】
本発明は、外壁面の一部が他の外壁面よりも室内側に後退した凹所を有する建物本体の上部に勾配屋根を設けてなる建物に関する。
【背景技術】
【０００２】
外壁面の一部が他の外壁面よりも室内側に後退した凹所を有する建物本体を建築し、この凹所をインナーバルコニーとして利用する場合がある（例えば、特許文献１参照）。
また、このような凹所を有する建物本体の上部には、平面視において矩形状の勾配屋根が設けられる場合がある。
【先行技術文献】
【特許文献】
【０００３】
【特許文献１】特開２００５−０９０１６４号公報
【発明の概要】
【発明が解決しようとする課題】
【０００４】
ところで、建物の上部に設けられる勾配屋根を、上述のように平面視矩形状のものとした場合、この勾配屋根によって前記凹所の上部が覆われることになるので、採光を確保しにくくなる。このため、凹所を有する建物本体の外周ラインに沿って軒を設ける勾配屋根を採用し、凹所の上部を開放して採光性を向上させたいという要望がある。
ところが、凹所を有する建物本体の外周ラインに沿って軒を設けた勾配屋根を採用してしまうと、屋根形状が複雑化したり、屋根を支持する屋根束の位置を変更したり等、工期の長期化やコストの上昇を招く場合がある。
【０００５】
そこで、例えば切妻屋根や寄棟屋根等のように比較的単純な形状の勾配屋根のうち、凹所の上方に位置する部分に、上下方向に開放された屋根凹部を形成することによって、上述のような採光の確保や、工期・コストの問題を解決し得る技術の開発が望まれている。
また、このように単に勾配屋根の一部に屋根凹部を形成しただけでは、この屋根凹部に強い風が吹き込んだ際などに、十分な強度を発揮できない場合があるため、屋根凹部付近の強度を向上できる技術の開発も併せて望まれている。
【０００６】
本発明の課題は、建物凹所に対応して形成された勾配屋根の屋根凹部において、採光が確保しやすくなるとともに、工期の短縮やコストの低減を図ることができ、さらに、屋根凹部において十分な強度を発揮できる建物を提供することを目的とする。
【課題を解決するための手段】
【０００７】
請求項１に記載の発明は、例えば図１〜図８に示すように、平面視において、外壁面の一部１１ａ，１１ｂが他の外壁面１０ａよりも室内側に後退した建物凹所１１を有する建物本体１０の上部に、傾斜方向下端部に、前記建物凹所１１に対応して形成された屋根凹部２１を有する勾配屋根２０，２０Ａが設けられており、
前記建物凹所１１と屋根凹部２１とは上下に連通しており、
前記建物凹所１１は、互いに対向する二つの外壁面１１ａ，１１ａと、これら二つの外壁面１１ａ，１１ａに挟まれた中央外壁面１１ｂとからなり、
前記屋根凹部２１は、互いに対向する二つの略三角形状の屋切側面２１ａ，２１ａと、これら二つの屋切側面２１ａ，２１ａに挟まれた矩形状の中央側面２１ｂとからなり、
この屋根凹部２１の屋切側面２１ａは、該屋切側面２１ａに設けられる第１補強手段４０によって補強されており、矩形状の中央側面２１ｂは、該中央側面２１ｂに設けられる第２補強手段５０によって補強されていることを特徴とする。
【０００８】
請求項１に記載の発明によれば、平面視において、外壁面の一部１１ａ，１１ｂが他の外壁面１０ａよりも室内側に後退した建物凹所１１を有する建物本体１０の上部に、傾斜方向下端部に、前記建物凹所１１に対応して形成された屋根凹部２１を有する勾配屋根２０，２０Ａが設けられており、前記建物凹所１１と屋根凹部２１とは上下に連通しているので、上方からの日射が、前記屋根凹部２１を介して建物凹所１１へと差し込むことになる。したがって、前記建物凹所１１の外壁面１１ａ，１１ｂの少なくとも一つの外壁面に採光窓を設けることによって、建物内への採光を確保しやすくなる。
また、単に勾配屋根２０，２０Ａの傾斜方向下端部に屋根凹部２１を形成するだけで、このように採光を確保しやすくなるので、従来のように建物本体の外周ラインに沿って軒を設けた勾配屋根を採用する必要がなく、屋根形状の複雑化や、屋根束の位置変更を行う必要がない。これによって工期の短縮やコストの低減を図ることができる。
さらに、このように屋根束の位置変更を行う必要がないので、屋根凹部２１が設けられる部分を除けば、前記勾配屋根２０，２０Ａに対して、前記屋根凹部２１を設けない場合の勾配屋根と等しい大きさの小屋裏空間を確保することができる。
そして、前記屋根凹部２１の屋切側面２１ａは、該屋切側面２１ａに設けられる第１補強手段４０によって補強されており、矩形状の中央側面２１ｂは、該中央側面２１ｂに設けられる第２補強手段５０によって補強されているので、これら第１および第２補強手段４０，５０によって屋根凹部２１を補強することができる。これによって、この屋根凹部２１に強い風が吹き込んだ場合であっても、十分な強度を発揮することができる。
【０００９】
請求項２に記載の発明は、例えば図１および図２に示すように、請求項１に記載の建物において、
前記建物凹所１１の二つの外壁面１１ａ，１１ａと中央外壁面１１ｂとのうち、少なくとも一つの外壁面に採光窓（図示せず）が設けられていることを特徴とする。
【００１０】
請求項２に記載の発明によれば、前記建物凹所１１の二つの外壁面１１ａ，１１ａと中央外壁面１１ｂとのうち、少なくとも一つの外壁面に採光窓が設けられているので、前記屋根凹部２１を介して建物凹所１１へと差し込む上方からの日射が、前記採光窓を通じて、建物内へと差し込むことになる。これによって、建物内の採光性を向上させることができるので、快適な居住環境を形成することが可能となる。
【００１１】
請求項３に記載の発明は、例えば図７に示すように、請求項１または２に記載の建物において、
前記建物凹所１１の二つの外壁面１１ａ，１１ａおよび中央外壁面１１ｂには、それぞれ外壁材１１ｃ，１１ｄが取り付けられており、
前記屋根凹部２１の二つの屋切側面２１ａ，２１ａおよび中央側面２１ｂには、それぞれ、前記第１および第２補強手段４０，５０を遮蔽する外壁材２１ｃが取り付けられていることを特徴とする。
【００１２】
請求項３に記載の発明によれば、前記屋根凹部２１の二つの屋切側面２１ａ，２１ａおよび中央側面２１ｂには、それぞれ、前記第１および第２補強手段４０，５０を遮蔽する外壁材２１ｃが取り付けられているので、この外壁材２１ｃによって、前記第１および第２補強手段４０，５０を確実に遮蔽することができる。
また、前記建物凹所１１の二つの外壁面１１ａ，１１ａおよび中央外壁面１１ｂにも、それぞれ外壁材１１ｃ，１１ｄが取り付けられているので、例えば、この外壁材１１ｃ，１１ｄと外壁材２１ｃとを同種の外壁材とすることによって、前記建物凹所１１と屋根凹部２１との外観に連続性を持たせることができ、外観性を向上させることができる。
【００１３】
請求項４に記載の発明は、例えば図１〜図８に示すように、請求項１〜３のいずれか一項に記載の建物において、
前記建物本体１０は、四隅の柱、上梁および下梁から略直方体状に形成された骨組みを有する建物ユニット１２，１３を複数配置して構成されており、
前記勾配屋根２０，２０Ａは、前記建物ユニット１２，１３上に設置される矩形枠状の小屋パネル２２，２３と、この小屋パネル２２，２３上に配置される複数の屋根束２４，２５，２６と、これら複数の屋根束２４，２５，２６によって所定の角度に傾斜するように支持される屋根パネル２７，２８とを備え、かつ前記建物本体１０上に配置されており、
前記屋根凹部２１は、この屋根凹部２１に面する小屋パネル２３と、屋根凹部２１の隅部付近に配置される屋根束２５，２６と、平面視において略門型に形成されることによって開口部２８ａを有する屋根パネル２８とを備えて構成されていることを特徴とする。
【００１４】
請求項４に記載の発明によれば、前記建物本体１０は、四隅の柱、上梁および下梁から略直方体状に形成された骨組みを有する建物ユニット１２，１３を複数配置して構成されており、前記勾配屋根２０，２０Ａは、前記建物ユニット１２，１３上に設置される矩形枠状の小屋パネル２２，２３と、この小屋パネル２２，２３上に配置される複数の屋根束２４，２５，２６と、これら複数の屋根束２４，２５，２６によって所定の角度に傾斜するように支持される屋根パネル２７，２８とを備え、かつ前記本体１０上に配置されているので、前記建物ユニット１２，１３を工場等で予め製造しておき、建設現場において、前記建物ユニット１２，１３や勾配屋根２０，２０Ａを構成する各部材をクレーンで順次吊り込む作業を行うことにより、前記建物本体１０と勾配屋根２０，２０Ａとを建築することができ、建設現場で異種の工法作業を行う必要がなく、作業の容易化を図ることができる。したがって、工期の短縮、コストの低減を達成できる。
また、前記屋根凹部２１は、この屋根凹部２１に面する小屋パネル２３と、屋根凹部２１の隅部付近に配置される屋根束２５，２６と、平面視において略門型に形成されることによって開口部２８ａを有する屋根パネル２８とを備えて構成されているので、前記小屋パネル２３を前記建物ユニット１３上に設置し、この小屋パネル２３上に配置された前記屋根束２５，２６に前記屋根パネル２８を支持させるように作業を行うことによって、前記建物ユニット１３の上方に前記屋根凹部２１を有する屋根部分を容易かつ確実に形成することができる。
【００１５】
請求項５に記載の発明は、例えば図１〜図６，図８に示すように、請求項４に記載の建物において、
前記第１補強手段４０は、前記屋根凹部２１に面する小屋パネル２３と、前記屋根凹部２１の中央側面２１ｂ側に配置される屋根束２５と、これら小屋パネル２３の軒先側端部と屋根束２５の上端部との間に架設されるとともに前記略門型の屋根パネル２８を構成する框材２９ｂと、でトラス状に形成されるトラス構造部とされており、
前記第２補強手段５０は、前記屋根凹部２１の中央側面２１ｂの両側端に配置される複数の屋根束２５，２５同士を連結する鉛直ブレース５１，５１を備えていることを特徴とする。
【００１６】
請求項５に記載の発明によれば、前記第１補強手段４０は、前記屋根凹部２１に面する小屋パネル２３と、前記屋根凹部２１の中央側面２１ｂ側に配置される屋根束２５と、これら小屋パネル２３の軒先側端部と屋根束２５の上端部との間に架設されるとともに前記略門型の屋根パネル２８を構成する框材２９ｂと、でトラス状に形成されるトラス構造部とされているので、例えば前記屋根凹部２１に強風が吹き込んだ際などに、前記小屋パネル２３と屋根束２５とにそれぞれ作用する変形力を、このトラス構造部４０によって抑制することができるので、前記屋根凹部２１の屋切側面２１ａを補強できることとなる。
また、前記第２補強手段５０は、前記屋根凹部２１の中央側面２１ｂの両側端に配置される複数の屋根束２５，２５同士を連結する鉛直ブレース５１，５１を備えているので、この鉛直ブレース５１によって前記複数の屋根束２５，２５同士を連結できる。これによって、例えば前記屋根凹部２１に強風が吹き込んだ際などに、前記複数の屋根束２５，２５にそれぞれ作用する変形力を、この鉛直ブレース５１，５１によって抑制することができるので、前記屋根凹部２１の中央側面２１ｂを補強できることとなる。
したがって、前記第１補強手段４０および第２補強手段５０によって、前記屋根凹部２１を補強することができるので、この屋根凹部２１に強い風が吹き込んだ場合であっても、十分な強度を発揮することができる。
【発明の効果】
【００１７】
本発明によれば、平面視において、外壁面の一部が他の外壁面よりも室内側に後退した建物凹所を有する建物本体の上部に、傾斜方向下端部に、建物凹所に対応して形成された屋根凹部を有する勾配屋根が設けられており、建物凹所と屋根凹部とは上下に連通しているので、上方からの日射が、屋根凹部を介して建物凹所へと差し込むことになる。したがって、建物凹所の外壁面の少なくとも一つの外壁面に採光窓を設けることによって、建物内への採光を確保しやすくなる。
また、単に勾配屋根の傾斜方向下端部に屋根凹部を形成するだけで、このように採光を確保しやすくなるので、従来のように建物本体の外周ラインに沿って軒を設けた勾配屋根を採用する必要がなく、屋根形状の複雑化や、屋根束の位置変更を行う必要がない。これによって工期の短縮やコストの低減を図ることができる。
さらに、このように屋根束の位置変更を行う必要がないので、屋根凹部が設けられる部分を除けば、勾配屋根に対して、屋根凹部を設けない場合の勾配屋根と等しい大きさの小屋裏空間を確保することができる。
そして、屋根凹部の屋切側面は、該屋切側面に設けられる第１補強手段によって補強されており、矩形状の中央側面は、該中央側面に設けられる第２補強手段によって補強されているので、これら第１および第２補強手段によって屋根凹部を補強することができる。これによって、この屋根凹部に強い風が吹き込んだ場合であっても、十分な強度を発揮することができる。
【図面の簡単な説明】
【００１８】
【図１】本発明の建物を示す平面であり、（ａ）は屋根形状を切妻屋根としたものであり、（ｂ）は屋根形状を寄棟屋根としたものである。
【図２】屋根凹部を示す平断面図である。
【図３】屋根凹部の屋切側面を正面から見た状態を示す断面図である。
【図４】屋根束の上端部を示す側面図である。
【図５】屋根束の上端部を示す平面図である。
【図６】屋根凹部の中央側面を正面から見た状態を示す断面図である。
【図７】屋根凹部の中央側面を側面から見た状態を示す断面図である。
【図８】屋根凹部を構成する屋根パネルの骨組みを示す平面図である。
【発明を実施するための形態】
【００１９】
以下、図面を参照して本発明の実施の形態について説明する。
図１（ａ），（ｂ）は本発明に係る建物の一例を示す平面図であり、この建物は、建物本体の上部に勾配屋根２０，２０Ａが設けられてなる。
図１（ａ），（ｂ）において符号１０は、前記建物本体を示す。この建物本体１０は、四隅の柱と、これらの柱の上端部同士を結合する４本の上梁と、下端部同士を結合する４本の下梁とを含む骨組みを有し、この骨組みが略直方体状に形成された金属製の建物ユニット１２，１３によって構成されている。すなわち、前記建物ユニット１２，１３の上梁および下梁は、前記柱を介して矩形枠状に組まれている。
さらに、図示しないが、上梁は各２本の長辺上梁および短辺上梁で構成され、下梁は各２本の長辺下梁および短辺下梁で構成されている。また、２本の長辺上梁間、および２本の長編下梁間には、複数本の天井小梁、複数本の根太がそれぞれ架け渡されている。
【００２０】
また、図１（ａ），（ｂ）において符号１１は、建物凹所を示す。この建物凹所１１は、互いに対向する二つの外壁面１１ａ，１１ａと、これら二つの外壁面１１ａ，１１ａに挟まれた中央外壁面とからなり、建物本体１０の外壁面の一部である前記二つの外壁面１１ａ，１１ａと、前記中央外壁面１１ｂとが、建物本体１０の他の外壁面１０ａよりも室内側に後退するようにして形成されている。
建物凹所１１は、前記建物ユニット１３に形成されるものである。
すなわち、この建物凹所１１を建物本体１０の上下階にわたって形成する場合は、上階を構成する建物ユニット１３の上梁および下梁のうち、建物凹所１１が形成される部分に対応する天井小梁および根太を架け渡さないようにして、天井および床が形成されないようにする。さらに、下階を構成する建物ユニット１３の上梁のうち、建物凹所１１が形成される部分に対応する天井小梁を架け渡さないようにして、天井が形成されないようにする。これによって、下階の床から上空へと吹き抜ける建物凹所１１を形成することが可能となる。
一方、建物凹所１１を建物本体１０の上階に形成する場合は、上階を構成する建物ユニット１３の上梁のうち、建物凹所１１が形成される部分に対応する天井小梁を架け渡さないようにして、天井が形成されないようにする。これによって、上階の床から上空へと吹き抜ける建物凹所１１を形成することが可能となる。
【００２１】
なお、図示はしないが、前記二つの外壁面１１ａ，１１ａと中央外壁面１１ｂとのうち、少なくとも一つの外壁面に採光窓が設けられている。本実施の形態においては、これら二つの外壁面１１ａ，１１ａと中央外壁面１１ｂとのそれぞれに採光窓を設けるものとし、建物内部への採光を最大限確保できるようにしている。
また、前記二つの外壁面１１ａ，１１ａおよび中央外壁面１１ｂには、それぞれ外壁材１１ｃ，１１ｄが取り付けられている。
外壁材１１ｃは、前記二つの外壁面１１ａ，１１ａおよび中央外壁面１１ｂの上端部を除く大部分に取り付けられるものであり、外壁材１１ｄは、前記二つの外壁面１１ａ，１１ａおよび中央外壁面１１ｂの上端部に取り付けられる幕板とされている。この幕板１１ｄは、前記建物凹所１１側の外壁材１１ｃと、前記屋根凹部２１側に設けられる外壁材２１ｃ（後述する）との間に設けられている。
【００２２】
なお、図示はしないが、前記建物本体１０の他の外壁面１０ａにも、前記外壁材１１ｃと同種の外壁材が設けられているものとする。
【００２３】
また、図１（ａ），（ｂ）において符号２０，２０Ａは、前記勾配屋根を示す。この勾配屋根２０，２０Ａは、前記建物本体１０上に配置されるものであり、傾斜方向下端部に、前記建物凹所１１に対応して形成された屋根凹部２１を有している。
さらに、この屋根凹部２１は、図２および図３に示すように、互いに対向する二つの略三角形状の屋切側面２１ａ，２１ａと、これら二つの屋切側面２１ａ，２１ａに挟まれた矩形状の中央側面２１ｂとからなる。
【００２４】
なお、図１（ａ）に示す勾配屋根２０は切妻屋根であり、図１（ｂ）に示す勾配屋根２０Ａは寄棟屋根であり、比較的単純な構造の屋根が採用されている。
また、これら勾配屋根２０，２０Ａは、前記建物凹所１１を有する建物本体１０の外周ラインに沿って軒を設けるのではなく、前記建物本体１０の外壁面１０ａと中央外壁面１１ｂとに沿って軒を設けるとともに、前記二つの外壁面１１ａ，１１ａに沿ってけらばを設けた屋根形状となっている。
すなわち、前記屋根凹部２１の二つの屋切側面２１ａ，２１ａの上端縁はけらばとされており、前記屋根凹部２１の中央側面２１ｂの上端縁は軒とされている。したがって、図７に示すように、前記二つの屋切側面２１ａ，２１ａの上端縁であるけらばには破風３５が設けられており、前記中央側面２１ｂの上端縁である軒には、軒樋３３が設けられている。
なお、以下においては、図１（ａ）に示す切妻屋根形状の勾配屋根２０に基づいて説明を行うものとする。
【００２５】
前記勾配屋根２０は、前記建物ユニット１２，１３上に設置される矩形枠状の小屋パネル２２，２３と、この小屋パネル２２，２３上に配置される複数の屋根束２４，２５，２６と、これら複数の屋根束２４，２５，２６によって所定の角度に傾斜するように支持される屋根パネル２７，２８とを備えている。
さらに、前記屋根凹部２１は、この屋根凹部２１に面する小屋パネル２３と、屋根凹部２１の隅部付近に配置される屋根束２５，２６と、平面視において略門型に形成されることによって開口部２８ａを有する屋根パネル２８とを備えて構成されている。
【００２６】
前記小屋パネル２２は、長辺梁と短辺梁とを有し、前記建物ユニット１２の上梁と略等しい大きさに形成された矩形枠状体であり、この建物ユニット１２の上梁に沿って設けられている。
そして、この小屋パネル２２の上面には、前記勾配屋根２０の棟の下方に位置する箇所に最も上下に長い屋根束２４が配置されており、前記勾配屋根２０の軒先の下方に位置する箇所に最も上下に短い屋根束２６が配置されている。
【００２７】
前記小屋パネル２３は、長辺梁２３ａ，２３ａと短辺梁２３ｃ，２３ｃとを有し、前記建物ユニット１３の上梁と略等しい大きさに形成された矩形枠状体であり、この建物ユニット１３の上梁に沿って設けられている。
また、この小屋パネル２３は、前記屋根凹部２１の中央側面２１ｂの下縁を構成する中間梁２３ｂを備えている。この中間梁２３ｂは、前記屋根凹部２１の中央側面２１ｂの下方に位置する箇所において前記長辺梁２３ａ，２３ａ間に架設されている。
そして、この小屋パネル２３の上面には、前記小屋パネル２２と同様に、前記勾配屋根２０の棟の下方に位置する箇所に最も上下に長い屋根束２４が配置されており、前記勾配屋根２０の軒先の下方に位置する箇所に最も上下に短い屋根束２６が配置されている。
また、前記屋根束２５は、前記屋根凹部２１の棟側に位置する中央側面２１ｂの両側端に配置され、かつ前記中間梁２３ｂの上面に立設されている。
【００２８】
前記屋根束２４は、図示はしないが、所定の角度に設定されるとともに前記屋根パネル２７，２８を受ける屋根受け部を有している。この屋根束２４と屋根パネル２７，２８とはボルト接合される。
また、図１（ａ）に示すように、前記勾配屋根２０の棟に沿って立設される屋根束２４のうち、建物の妻側に屋根束２４と、この建物妻側の屋根束２４に対して棟方向に並設される屋根束２４との間には、補強ブレース２４ａが設けられている。
これによって、これら屋根束２４，２４同士を連結できる。そして、これら屋根束２４，２４にそれぞれ作用する変形力を前記補強ブレース２４ａによって抑制することができるので、前記勾配屋根２０自体を補強できることとなる。
【００２９】
また、前記屋根束２５も、図４および図５に示すように、前記屋根束２４と同様に屋根受け部２５ｂを有している。
この屋根受け部２５ｂは、前記屋根束２５の上端部に設けられ、所定の角度に形成された傾斜面を有し、この傾斜面にはボルトを挿通するための挿通孔が形成されている。この屋根束２５と屋根パネル２７，２８とはボルト接合される。
さらに、この屋根束２５は、図２および図３に示すように、四角形状の板材の上面に一体的に設けられている。この四角形状の板材は中間梁接合金物２５ａと称し、前記小屋パネル２３の長辺梁２３ａと中間梁２３ｂとの交差部分の上面に設置されており、この中間梁接合金物２５ａを前記長辺梁２３ａの上面と中間梁２３ｂの上面とのそれぞれに固定することによって、これら長辺梁２３ａと中間梁２３ｂとを接合できるようになっている。
【００３０】
また、前記屋根束２６は、図２および図３に示すように、上面が傾斜するようにして形成されることによって屋根を受けることが可能となっている。この屋根束２６と屋根パネル２７，２８とはボルト接合される。
さらに、この屋根束２６は、図２および図３に示すように、四角形状の板材の上面に一体的に設けられている。この四角形状の板材は外周接合金物２６ａと称し、前記小屋パネル２２の長辺梁と、前記小屋パネル２３の長辺梁２３ａとの交差部分の上面に設置されており、この外周接合金物２６ａを、前記小屋パネル２２の長辺梁の上面と、前記小屋パネル２３の長辺梁２３ａの上面とのそれぞれに固定することによって、これら小屋パネル２２の長辺梁と、前記小屋パネル２３の長辺梁２３ａとを接合できるようになっている。
【００３１】
前記屋根パネル２７は、図１（ａ）に示すように矩形状に形成されており、図示はしないが、枠体と、この枠体の上面に貼設される屋根面材とを備えている。また、この屋根面材の上面には屋根材が葺かれている。
前記枠体は、縦横に配置されるとともに外枠を構成する複数の框材と、この外枠に縦横に架け渡される複数の桟材とを有している。これら複数の框材および桟材は、金属製のものが用いられているが、これに限られるものではない。
また、この屋根パネル２７の傾斜方向下端部には、この傾斜方向下端部に垂直面を形成するための調整材３１が設けられている。この調整材３１の垂直面には、軒樋３３等が取り付けられるようになっている。
【００３２】
前記屋根パネル２８は、図１（ａ）および図８に示すように平面視において略門型に形成されており、枠体２９と、この枠体２９の上面に貼設される屋根面材３０とを備えている。また、この屋根面材３０の上面には、図７に示すように屋根材３６が葺かれている。
前記枠体２９は、縦横に配置されるとともに門型の外枠を構成する複数の框材２９ａ，２９ｂと、この外枠に縦横に架け渡される複数の桟材２９ｃとを有している。これら複数の框材２９ａ，２９ｂおよび桟材２９ｃは、金属製のものが用いられている。
ここで、前記枠体２９を構成する複数の框材２９ａ，２９ｂのうち、框材２９ｂは、前記屋根パネル２８の両側端部に、該屋根パネル２８の傾斜方向に沿って設けられるものであり、後述する第１補強手段４０を構成している。
また、前記外枠には、前記屋根束２４，２５，２６に対応する位置に、前記屋根パネル２８と前記屋根束２４，２５，２６の屋根受け部とをボルト接合するための屋根束用ボルト孔３７，３８，３９がそれぞれ形成されている。
【００３３】
また、この屋根パネル２８の傾斜方向下端部には、この傾斜方向下端部に垂直面を形成するための調整材３１が設けられている。屋根パネル２８の傾斜方向下端部とは、図８に示すように、前記屋根パネル２７の傾斜方向下端部に隣接される部分と、前記中央側面２１ｂの上方に位置する部分との３か所である。
そして、前記調整材３１の垂直面には、この垂直面の長さ方向に沿って、図７に示すように鼻隠３２が取り付けられるとともに、前記軒樋３３が取り付けられている。
また、前記鼻隠３２と外壁材２１ｃの上端部との間には、屋根凹部２１と小屋裏とを連通する通気部材３４が設けられている。この通気部材３４には、図示しない通気孔が形成されている。
【００３４】
そして、前記建物凹所１１と屋根凹部２１とは上下に連通している。
すなわち、前記建物凹所１１の二つの外壁面１１ａ，１１ａと、前記屋根凹部２１の二つの屋切側面２１ａ，２１ａとが、それぞれ上下に隣接しており、前記建物凹所１１の中央外壁面１ｂと前記屋根凹部２１の中央側面とが上下に隣接しており、前記建物凹所１１と屋根凹部２１とは、前記建物凹所１１の下端部から前記屋根凹部２１を介して上方に向かって吹き抜けた構成となっている。
【００３５】
また、以上のような他の外壁面１０ａよりも室内側に後退したように形成される屋根凹部２１には風が吹き込みやすくなるため、図１〜図６，図８に示すように、屋根凹部２１の屋切側面２１ａは、該屋切側面２１ａに設けられる第１補強手段４０によって補強されており、矩形状の中央側面２１ｂは、該中央側面２１ｂに設けられる第２補強手段５０によって補強されている。
【００３６】
前記第１補強手段４０は、図３に示すように、前記屋根凹部２１に面する小屋パネル２３と、前記屋根凹部２１の中央側面２１ｂ側に配置される屋根束２５と、これら小屋パネル２３の軒先側端部と屋根束２５の上端部との間に架設されるとともに前記略門型の屋根パネル２８を構成する框材２９ｂと、でトラス状に形成されるトラス構造部とされている。なお、このトラス構造部４０を構成する小屋パネル２３は、該小屋パネル２３のうちの軒先側から屋根束２５までの所定の部位を指している。
すなわち、このトラス構造部４０は略直角三角形枠状に形成されており、構造的に高い強度を有しているので、変形しにくい。
【００３７】
また、前記トラス構造部４０には、前記外装材２１ｃを、前記屋根凹部２１の屋切側面２１ａ，２１ａに取り付けるためのフレーム材４１が取り付けられている。
このフレーム材４１は、前記屋根凹部２１に面する小屋パネル２３に沿って水平に接合される水平材４２と、この水平材４２の上面に接合されて垂直に立設される垂直材４３と、この垂直材４３の上端部に一体形成されるとともに、該垂直材４３の上端部と前記屋根束２５の上端部との間に架設される斜め材４４とを有している。
なお、この斜め材４４の上端部は、前記屋根束２５の上端部に設けられる斜め材受け部２５ｃとボルト接合されている。
【００３８】
また、前記第２補強手段５０は、図６に示すように、前記屋根凹部２１の中央側面２１ｂの両側端に配置される複数の屋根束２５，２５同士を連結する鉛直ブレース５１，５１を備えている。
これら鉛直ブレース５１，５１は、前記複数の屋根束２５，２５間の中央付近で互いに交差するようにして設けられている。
また、前記複数の屋根束２５，２５同士の互いに対向する側面の上端部および下端部には、前記鉛直ブレース５１，５１の端部が接続されるブレース受け２５ｅがそれぞれ設けられている。
【００３９】
そして、前記屋根凹部２１の二つの屋切側面２１ａ，２１ａおよび中央側面２１ｂには、それぞれ前記第１および第２補強手段４０，５０を遮蔽する外壁材２１ｃが取り付けられている。
【００４０】
すなわち、図２および図３に示すように、前記フレーム材４１の水平材４２には、この水平材４２の上面に固定されるとともに外壁材２１ｃが取り付けられる断面Ｌ字型の取付具４５が設けられている。また、この水平材４２の屋根凹部側面には、前記外壁材２１ｃの下端部が載置されるとともに、前記取付具４５とともに外壁材２１ｃが取り付けられる断面Ｌ字型の外壁材受け具４６が設けられている。
これら取付具４５および外壁材受け具４６は、互いに背面部を当接するようにして、かつ上端部に形成されるボルト孔の位置が揃うようにして設けられている。
そして、前記外壁材受け具４６は、前記取付具４５よりも上下に長く形成されており、屋根凹部側に突出する部分に外壁材２１ｃの下端部が載置されるようになっている。
【００４１】
また、前記斜め材４４には、この斜め材４４の長さ方向に沿って点在するようにして取付具４５が設けられている。この取付具４５は、前記水平材４２に設けられた前記取付具４５の上方に位置している。
そして、前記水平材４２および斜め材４４に設けられた取付具４５に対して外壁材２１ｃが当接されるとともにボルト結合されることによって、該外壁材２１ｃを前記屋切側面２１ａに取り付けることができる。
【００４２】
また、図４〜図７に示すように、前記複数の屋根束２５，２５同士の互いに対向する側面の上端部には、中央側面２１ｂに取り付ける外壁材２１ｃが当接されるフレーム材５２を受けるためのフレーム材受け部２５ｄが設けられている。そして、これらフレーム材受け部２５ｄ，２５ｄ間には、接続部材５２ａ，５２ａを介してフレーム材５２が架設されている。
さらに、このフレーム材５２には、このフレーム材５２の下面に固定されるとともに外壁材２１ｃが取り付けられる断面Ｌ字型の取付具５３が設けられている。
【００４３】
また、前記中間梁２３ｂの上面にも取付具５３が設けられている。また、この中間梁２３ｂの屋根凹部側面には、前記外壁材２１ｃの下端部が載置されるとともに、前記取付具５３とともに外壁材２１ｃが取り付けられる断面Ｌ字型の外壁材受け具５４が設けられている。
そして、これら中間梁２３ｂの取付具５３および外壁材受け具５４は、互いに背面部を当接するようにして、かつ上端部に形成されるボルト孔の位置が揃うようにして設けられている。
そして、前記外壁材受け具５４は、前記取付具５３よりも上下に長く形成されており、屋根凹部側に突出する部分に外壁材２１ｃの下端部が載置されるようになっている。
【００４４】
また、前記フレーム材５２に設けられた取付具５３は、前記中間梁２３ｂに取り付けられた取付具５３の上方に位置している。
そして、前記フレーム材５２および中間梁２３ｂに設けられた取付具５３に対して外壁材２１ｃが当接されるとともにボルト結合されることによって、該外壁材２１ｃを前記中央側面２１ｂに取り付けることができる。
【００４５】
なお、前記屋根凹部２１の屋切側面２１ａ，２１ａに取り付けられる外壁材２１ｃの表面は、前記建物凹所１１の二つの外壁面１１ａ，１１ａに取り付けられる外壁材１１ｃの表面と面一になっている。また、前記屋根凹部２１の中央側面２１ｂに取り付けられる外壁材２１ｃの表面も、前記建物凹所１１の中央側面１１ｂに取り付けられる外壁材１１ｃの表面と面一になっている。
【００４６】
次に、本実施の形態の建物本体１０の上部に勾配屋根２０を設置する方法の概要を説明する。なお、各建物ユニット１２，１３を始めとする重量物等は、クレーンによって吊り込まれるものとする。
【００４７】
まずは、前記建物ユニット１２，１３を複数配置して建物本体１０を形成する。本実施の形態においては各建物ユニット１２，１３の長辺梁同士が隣り合うようにして配置されている。なお、前記建物凹所１１は、上述のように天井小梁や根太を取り付けないようにしているので、前記建物ユニット１３に対して予め形成された状態となっている。
【００４８】
続いて、前記建物ユニット１２，１３の上部に、前記小屋パネル２２，２３をそれぞれ設置する。
また、前記小屋パネル２２の上面に、前記複数の屋根束２４，２６を立設し、これら複数の屋根束２４，２６上に前記屋根パネル２７を設置する。
これと同時に、前記小屋パネル２３の上面に、前記複数の屋根束２４，２５，２６を立設し、これら複数の屋根束２４，２５，２６上に前記屋根パネル２８を設置する。
屋根パネル２８は開口部２８ａを有する門型に形成されているので、この開口部２８ａを介して、前記建物凹所１１を上空へと開放させることができる。
【００４９】
この時点で、前記屋根凹部２１の屋切側面２１ａには、前記屋根凹部２１に面する小屋パネル２３と、前記屋根凹部２１の中央側面２１ｂ側に配置される屋根束２５と、これら小屋パネル２３の軒先側端部と屋根束２５の上端部との間に架設されるとともに前記略門型の屋根パネル２８を構成する框材２９ｂと、でトラス状に形成されるトラス構造部、すなわち第１補強手段４０が設けられたことになる。
続いて、前記屋根凹部２１の中央側面２１ｂに、前記第２補強手段である鉛直ブレース５１，５１を取り付ける。
【００５０】
なお、前記勾配屋根２０を構成する各部は、前記小屋パネル２２，２３毎に、予め工場等で組み立てて、勾配屋根ユニットとして用いてもよい。これによって、前記建物ユニット１２，１３の上部に、この勾配屋根ユニットをクレーンで吊り込んで設置するだけで、建物本体１０の上部に勾配屋根２０を設けることができるので、工期の短縮やコスト低減の面で望ましい。
【００５１】
本実施の形態によれば、平面視において、外壁面の一部１１ａ，１１ｂが他の外壁面１０ａよりも室内側に後退した建物凹所１１を有する建物本体１０の上部に、傾斜方向下端部に、前記建物凹所１１に対応して形成された屋根凹部２１を有する勾配屋根２０が設けられており、前記建物凹所１１と屋根凹部２１とは上下に連通しているので、上方からの日射が、前記屋根凹部２１を介して建物凹所１１へと差し込むことになる。したがって、前記建物凹所１１の外壁面１１ａ，１１ｂの少なくとも一つの外壁面に採光窓を設けることによって、建物内への採光を確保しやすくなる。
また、単に勾配屋根２０の傾斜方向下端部に屋根凹部２１を形成するだけで、このように採光を確保しやすくなるので、従来のように建物本体の外周ラインに沿って軒を設けた勾配屋根を採用する必要がなく、屋根形状の複雑化や、屋根束の位置変更を行う必要がない。これによって工期の短縮やコストの低減を図ることができる。
さらに、このように屋根束の位置変更を行う必要がないので、屋根凹部２１が設けられる部分を除けば、前記勾配屋根２０に対して、前記屋根凹部２１を設けない場合の勾配屋根と等しい大きさの小屋裏空間を確保することができる。
そして、前記屋根凹部２１の屋切側面２１ａは、該屋切側面２１ａに設けられる第１補強手段４０によって補強されており、矩形状の中央側面２１ｂは、該中央側面２１ｂに設けられる第２補強手段５０によって補強されているので、これら第１および第２補強手段４０，５０によって屋根凹部２１を補強することができる。これによって、この屋根凹部２１に強い風が吹き込んだ場合であっても、十分な強度を発揮することができる。
【００５２】
また、前記建物凹所１１の二つの外壁面１１ａ，１１ａと中央外壁面１１ｂとのうち、少なくとも一つの外壁面に採光窓が設けられているので、前記屋根凹部２１を介して建物凹所１１へと差し込む上方からの日射が、前記採光窓を通じて、建物内へと差し込むことになる。これによって、建物内の採光性を向上させることができるので、快適な居住環境を形成することが可能となる。
【００５３】
また、前記屋根凹部２１の二つの屋切側面２１ａ，２１ａおよび中央側面２１ｂには、それぞれ、前記第１および第２補強手段４０，５０を遮蔽する外壁材２１ｃが取り付けられているので、この外壁材２１ｃによって、前記第１および第２補強手段４０，５０を確実に遮蔽することができる。
また、前記建物凹所１１の二つの外壁面１１ａ，１１ａおよび中央外壁面１１ｂにも、それぞれ外壁材１１ｃ，１１ｄが取り付けられているので、例えば、この外壁材１１ｃ，１１ｄと外壁材２１ｃとを同種の外壁材とすることによって、前記建物凹所１１と屋根凹部２１との外観に連続性を持たせることができ、外観性を向上させることができる。
【００５４】
また、前記建物本体１０は、四隅の柱、上梁および下梁から略直方体状に形成された骨組みを有する建物ユニット１２，１３を複数配置して構成されており、前記勾配屋根２０は、前記建物ユニット１２，１３上に設置される矩形枠状の小屋パネル２２，２３と、この小屋パネル２２，２３上に配置される複数の屋根束２４，２５，２６と、これら複数の屋根束２４，２５，２６によって所定の角度に傾斜するように支持される屋根パネル２７，２８とを備え、かつ前記本体１０上に配置されているので、前記建物ユニット１２，１３を工場等で予め製造しておき、建設現場において、前記建物ユニット１２，１３や勾配屋根２０を構成する各部材をクレーンで順次吊り込む作業を行うことにより、前記建物本体１０と勾配屋根２０とを建築することができ、建設現場で異種の工法作業を行う必要がなく、作業の容易化を図ることができる。したがって、工期の短縮、コストの低減を達成できる。
また、前記屋根凹部２１は、この屋根凹部２１に面する小屋パネル２３と、屋根凹部２１の隅部付近に配置される屋根束２５，２６と、平面視において略門型に形成されることによって開口部２８ａを有する屋根パネル２８とを備えて構成されているので、前記小屋パネル２３を前記建物ユニット１３上に設置し、この小屋パネル２３上に配置された前記屋根束２５，２６に前記屋根パネル２８を支持させるように作業を行うことによって、前記建物ユニット１３の上方に前記屋根凹部２１を有する屋根部分を容易かつ確実に形成することができる。
【００５５】
また、前記第１補強手段４０は、前記屋根凹部２１に面する小屋パネル２３と、前記屋根凹部２１の中央側面２１ｂ側に配置される屋根束２５と、これら小屋パネル２３の軒先側端部と屋根束２５の上端部との間に架設されるとともに前記略門型の屋根パネル２８を構成する框材２９ｂと、でトラス状に形成されるトラス構造部とされているので、例えば前記屋根凹部２１に強風が吹き込んだ際などに、前記小屋パネル２３と屋根束２５とにそれぞれ作用する変形力を、このトラス構造部４０によって抑制することができるので、前記屋根凹部２１の屋切側面２１ａを補強できることとなる。
また、前記第２補強手段５０は、前記屋根凹部２１の中央側面２１ｂの両側端に配置される複数の屋根束２５，２５同士を連結する鉛直ブレース５１，５１を備えているので、この鉛直ブレース５１によって前記複数の屋根束２５，２５同士を連結できる。これによって、例えば前記屋根凹部２１に強風が吹き込んだ際などに、前記複数の屋根束２５，２５にそれぞれ作用する変形力を、この鉛直ブレース５１，５１によって抑制することができるので、前記屋根凹部２１の中央側面２１ｂを補強できることとなる。
したがって、前記第１補強手段４０および第２補強手段５０によって、前記屋根凹部２１を補強することができるので、この屋根凹部２１に強い風が吹き込んだ場合であっても、十分な強度を発揮することができる。
【符号の説明】
【００５６】
１０  建物本体
１１  建物凹所
２０  勾配屋根
２１  屋根凹部
４０  第１補強手段
５０  第２補強手段
【図１】
0005410255.tif 000002
【図２】
0005410255.tif 000003
【図３】
0005410255.tif 000004
【図４】
0005410255.tif 000005
【図５】
0005410255.tif 000006
【図６】
0005410255.tif 000007
【図７】
0005410255.tif 000008
【図８】
0005410255.tif 000009